(57)【要約】【課題】  空気調和機に装備される排水ポンプの水かき音の低減を図る。【解決手段】  回転羽根１００は軸部１１０を有し、軸部１１０の有底穴に電動モータ１０の出力軸１２が挿入される。軸部１１０から放射方向に延びる板状の大径羽根１２０は、外周側が円筒状のリング部材２００に接続される。本実施例の回転羽根１００にあっては、リング部材の上端部は薄肉部に形成され、連結部を介して皿状部材１６０に連結される。【選択図】        図２
2006029214.tif 000002
【特許請求の範囲】
【請求項１】
モータと、モータの出力軸に連結される回転羽根と、回転羽根を収容するハウジングを有し、ハウジングは回転羽根の小径羽根が挿入される吸込口と、ポンプ室の側部に設けられる吐出口を備える排水ポンプであって、
回転羽根はモータの出力軸に連結される軸部と、軸部から放射方向に延びる板状の大径羽根と、大径羽根とテーパー状の連結部を介して連結される板状の小径羽根と、大径羽根の外周部を連結するリング部材と、リング部材の下端部に連結される皿状部材を有し、
リング部材は、上端部に形成される薄肉部を備える排水ポンプ。
【請求項２】
薄肉部と皿状部材を連結するテーパー部を備える請求項１記載の排水ポンプ。
【請求項３】
薄肉部と皿状部材を連結する段付部を備える請求項１記載の排水ポンプ。
【請求項４】
薄肉部と皿状部材を連結する面取り部を備える請求項１記載の排水ポンプ。
【請求項５】
薄肉部と皿状部材を連結する凸状の湾曲部を備える請求項１記載の排水ポンプ。
【請求項６】
薄肉部と皿状部材を連結する凹状の湾曲部を備える請求項１記載の排水ポンプ。
【発明の詳細な説明】
【技術分野】
【０００１】
本発明は排水ポンプ、特に空気調和機に装備される排水ポンプに関する。
【背景技術】
【０００２】
空調機の室内ユニットは、冷房運転時に熱交換器に空気中の水分が凝縮して付着し、熱交換器の下方に設けられるドレンパン内に滴下する。このドレンパン内に溜ったドレン水を排水するために排水ポンプが用いられる。この排水ポンプは、下部に吸込口を形成し、上部を開口すると共に、側方に吐出口を設けたポンプ本体であるハウジング内に羽根を回転自在に設け、この羽根をハウジングの開口の上部にカバーを介して固定したモータにより回転させている。そのモータの駆動軸は、カバーに形成された貫通穴を回転自在に貫通して羽根のシャフト部に連結され、モータを駆動して、羽根が回転すると、ドレンパン内に貯溜したドレン水は、吸込口の羽根の下端から吸込まれ、遠心力により、ハウジング内面に沿って揚水され、ケーシングの吐出口から外部に吐出される。
この種の排水ポンプは、例えば、本出願人に係る特許文献１に開示されている。
【特許文献１】特開２０００−２１３７７０号公報
【発明の開示】
【発明が解決しようとする課題】
【０００３】
室内ユニットは、運転時の静粛性が要求される。
本発明は、運転音を低減する排水ポンプを提供するものである。
【課題を解決するための手段】
【０００４】
本発明の排水ポンプは、基本的手段として、モータと、モータの出力軸に連結される回転羽根と、回転羽根を収容するハウジングを有し、ハウジングは回転羽根の小径羽根が挿入される吸込口と、ポンプ室の側部に設けられる吐出口を備え、回転羽根はモータの出力軸に連結される軸部と、軸部から放射方向に延びる板状の大径羽根と、大径羽根とテーパー状の連結部を介して連結される板状の小径羽根と、大径羽根の外周部を連結するリング部材と、リング部材の下端部に連結される皿状部材を有し、リング部材は、上端部に形成される薄肉部を備える。
【発明の効果】
【０００５】
本発明は、以上の構成を備えることにより、水かき音を低減させることができる。
【発明を実施するための最良の形態】
【０００６】
図１は、本発明を適用する排水ポンプの説明図である。
全体を符号１で示す排水ポンプは、電動モータ１０を有し、電動モータ１０は、リード線１１を介して給電される。電動モータ１０は、ブラケット２０により支持され、ブラケット２０の下端部は、ポンプハウジング（ポンプ本体）５０の上部に取付けられる蓋部材３０に連結される。
【０００７】
ハウジング５０は、プラスチックでつくられ、内部にポンプ室５２が形成される。ハウジング５０には、ポンプ室５２に連通される吸込口６０と吐出口７０が一体に形成される。
ポンプ室５２内には、回転羽根１００が配設され、ポンプ室５２の開口部は蓋部材３０で覆われる。ハウジング５０と蓋部材３０の間にはシール部材４０が挿入され、ポンプ室からのドレン水の漏水が防止される。
【０００８】
図２は、回転羽根１００の詳細を示す説明図である。
回転羽根１００は軸部１１０を有し、軸部１１０の有底穴に電動モータ１０の出力軸１２が挿入される。軸部１１０から放射方向に延びる板状の大径羽根１２０は、外周側が円筒状のリング部材２００に接続される。
【０００９】
図１に示すように大径羽根１２０は、テーパー状の連結部１３０を介して小径羽根１４０に接続される。
本実施例にあっては、４枚の大径羽根１２０と小径羽根１４０を備える。
大径羽根１２０の下縁部は、皿状部材１６０に接続される。皿状部材１６０の中心側には、開口部１５０を有し、吸込口からのドレン水が小径羽根１４０、連結部１３０を介して大径羽根１２０側へ送られる。
【００１０】
リング部材２００の内側には、４枚の補助大径羽根１２２が設けられる。補助大径羽根１２２の内周側は、皿状部材１６０の開口部１５０の外縁部近傍まで延びる。
【００１１】
図３以下に、本発明の回転羽根のリング部材２００を図２のＡ−Ａ断面にした構造の種々の例を示す。
図３の（ａ）は、リング部材２００の上端部を薄肉部２０１に形成し、凸状の湾曲部２０１ａを介して皿状部材１６０に連結する例を示す。リング部材の断面形状を以上のように形成することにより、水かき音を低減することができる。
図３の（ｂ）は、リング部材２００の上端部を薄肉部２０２に形成し、段付部２０２ａを介して皿状部材１６０に連結する例を示す。
【００１２】
図３の（ｃ）は、リング部材２００の上端部を薄肉部２０３に形成し、面取り部２０３ａを介して皿状部材１６０に連結する例を示す。
図３の（ｄ）は、リング部材２００の上端部を薄肉部２０４に形成し、テーパー部２０４ａを介して皿状部材１６０に連結する例を示す。
図３（ｅ）は、リング部材２００の上端部を外周部の肉厚を削って薄肉部２０５に形成し、凸状の湾曲部２０５ａを介して皿状部材１６０に連結する例を示す。
外周部の肉厚を削って薄肉部を形成することは、上述した種々の例に対応できる。
【００１３】
図４の（ａ）は、リング部材２００の上端部を薄肉部２１１に形成し、テーパー部２０１ａを介して皿状部材１６０に連結する例を示す。リング部材の断面形状を以上のように形成することにより、水かき音を低減することができる。
図４の（ｂ）は、リング部材２００の上端部を大径羽根より低い薄肉部２１２に形成し、凸状の湾曲部２１２ａを介して皿状部材１６０に連結する例を示す。
【００１４】
図４の（ｃ）は、リング部材２００の上端部を薄肉部２１３に形成し、段付きのテーパー部２１３ａを介して皿状部材１６０に連結する例を示す。
図４の（ｄ）は、リング部材２００の上端部を薄肉部２１４に形成し、凸状の湾曲部２１４ａを介して皿状部材１６０に連結する例を示す。
図４（ｅ）は、リング部材２００の上端部を外周部の肉厚を削って薄肉部２１５に形成し、テーパー部２０５ａを介して皿状部材１６０に連結する例を示す。
外周部の肉厚を削って薄肉部を形成することは、上述した種々の例に対応できる。
【００１５】
図５の（ａ）は、リング部材２００の上端部を薄肉部２２１に形成し、テーパー部２２１ａを介して皿状部材１６０に連結する例を示す。リング部材の断面形状を以上のように形成することにより、水かき音を低減することができる。
図５の（ｂ）は、リング部材２００の上端部を薄肉部２２２に形成し、凹状の湾曲部２２２ａを介して皿状部材１６０に連結する例を示す。
【００１６】
図５の（ｃ）は、リング部材２００の上端部を薄肉部２２３に形成し、テーパー部２２３ａを介して皿状部材１６０に連結する例を示す。
図５の（ｄ）は、リング部材２００の上端部を先細りのテーパー薄肉部２２４に形成し、凸状の湾曲部２２４ａを介して皿状部材１６０に連結する例を示す。
図５（ｅ）は、リング部材２００の上端部を外周部の肉厚を削って薄肉部２２５に形成し、テーパー部２２５ａを介して皿状部材１６０に連結する例を示す。
外周部の肉厚を削って薄肉部を形成することは、上述した種々の例に対応できる。
【００１７】
図６の（ａ）は、リング部材２００の上端部を先細りのテーパー薄肉部２３１に形成し、凸状の湾曲部２３１ａを介して皿状部材１６０に連結する例を示す。リング部材の断面形状を以上のように形成することにより、水かき音を低減することができる。
図６の（ｂ）は、リング部材２００の上端部を先細りのテーパー薄肉部２３２に形成し、凸状の湾曲部２３２ａを介して皿状部材１６０に連結する例を示す。
【００１８】
図６の（ｃ）は、リング部材２００の上端部を内側に湾曲面を有する薄肉部２３３に形成し、凸状の湾曲部２３３ａを介して皿状部材１６０に連結する例を示す。
図６の（ｄ）は、リング部材２００の上端部を外側に湾曲面を有する薄肉部２３４に形成し、凸状の湾曲部２３４ａを介して皿状部材１６０に連結する例を示す。
図６（ｅ）は、リング部材２００の上端部を外周部の肉厚を削って薄肉部２３５に形成し、凸状の湾曲部２３５ａを介して皿状部材１６０に連結する例を示す。
外周部の肉厚を削って薄肉部を形成することは、上述した種々の例に対応できる。
回転羽根のリング部材を上述した形状に形成することにより、排水ポンプの水かき音を低減することができる。
【図面の簡単な説明】
【００１９】
【図１】本発明の排水ポンプの説明図。
【図２】回転羽根の説明図。
【図３】図２のＡ−Ａ断面構造の例を示す説明図。
【図４】図２のＡ−Ａ断面構造の例を示す説明図。
【図５】図２のＡ−Ａ断面構造の例を示す説明図。
【図６】図２のＡ−Ａ断面構造の例を示す説明図。
【符号の説明】
【００２０】
１  排水ポンプ
１０  電動モータ
５０  ポンプ本体
１００  回転羽根
１１０  軸部
１２０  大径羽根
１４０  小径羽根
１６０  皿状部材
２００  リング部材
【図１】
2006029214.tif 000003
【図２】
2006029214.tif 000004
【図３】
2006029214.tif 000005
【図４】
2006029214.tif 000006
【図５】
2006029214.tif 000007
【図６】
2006029214.tif 000008